(57)【要約】【課題】物品の保護が行えることは勿論、再利用が十分可能で、しかも物品の大きさや形状が異なってもこれに十分対応できる汎用性を備えた中仕切を、簡単な構成によって提供すること。【解決手段】物品を運搬するために使用される容器内に物品とともに収納され、当該容器内を有効に使用できるようにした中仕切１０であって、容器の底壁上または物品上に載置されることになる底壁１３と、この底壁１３から立ち上がって、この底壁１３とともに直角のコーナー部Ｒを形成した第１側壁１１及び第２側壁１２とにより構成したこと。【選択図】図１
2008273541.tif 000002
【特許請求の範囲】
【請求項１】
物品を運搬するために使用される容器内に前記物品とともに収納され、当該容器内を有効に使用できるようにした中仕切であって、
前記容器の底壁上または前記物品上に載置されることになる底壁と、この底壁から立ち上がって、この底壁とともに直角のコーナー部を形成した第１側壁及び第２側壁とにより構成したことを特徴とする中仕切。
【請求項２】
物品を運搬するために使用される容器内に前記物品とともに収納され、当該容器内を有効に使用できるようにした中仕切であって、
前記容器の底壁上または前記物品上に載置されることになる底壁と、この底壁から展開可能に立ち上がる第１側壁と、この第１側壁または前記底壁に展開可能に連結した第２側壁により構成するとともに、
これらの第１側壁及び第２側壁と前記底壁とにより、直角のコーナー部を形成できるようにしたことを特徴とする中仕切。
【請求項３】
前記底壁または第１側壁に、前記第２側壁の端縁に形成した嵌合突起が係合される嵌合穴を形成したことを特徴とする請求項２に記載の中仕切。
【請求項４】
前記底壁、第１側壁または第２側壁の少なくとも１つの内面側に、前記物品を抱えながら固定するベルトまたはバンドを設けたことを特徴とする請求項１〜請求項３のいずれかに記載の中仕切。
【請求項５】
前記容器の内法幅、及び内法長さの比がそれぞれａ：ｂであるとき、前記底壁の幅及び長さの比を、ａ：ｂ、またはｂ／２：ａとしたことを特徴とする請求項１〜請求項４のいずれかに記載の中仕切。
【発明の詳細な説明】
【技術分野】
【０００１】
本発明は、物品を運搬するために使用される容器に収納されて、物品の保護や区画を行うための中仕切に関し、特に、容器が所謂リターナブルのものとして使用される場合に適した中仕切に関するものである。
【背景技術】
【０００２】
種々な物品を運搬するために使用される容器は、段ボール箱や、所謂合成樹脂によって成形した運搬用容器等、色々なタイプのものが開発され、使用されてきている。このような物品を運搬するために使用される容器は、運搬先で処分されてしまう所謂「ワンウエイタイプ」のものから、運搬元に回収されて再度運搬用として使用される、所謂「リターナブルタイプ」のものもある。
【０００３】
「リターナブルタイプ」の容器は、再度使用される場合、中に入れる物品の種類や大きさが異なることがままあり、その都度物品の収納方法を考えなければならない。一般的には、この種の「リターナブルタイプ」の容器は汎用的に使用されるものであるため、キッチリと詰めることをしないで、開いた空間に「緩衝材」を詰める等の手段によって、物品が運搬時にガタ付いたり破損したりしないようにしている。開いた空間に「緩衝材」を詰める手段では、この「緩衝材」がゴミとなって発生し、運搬先では処分に困るものとなっている。
【０００４】
このような容器について、収納した物品を保護する手段としては、例えば特許文献１〜３にて提案されているような種々なものが提案されてきている。
【特許文献１】特開平６−１５６４７５号公報、要約、代表図
【特許文献２】特開平８−１３３２９４号公報、要約、代表図
【特許文献３】特開２００６−５５５５２号公報、要約、代表図
【発明の開示】
【発明が解決しようとする課題】
【０００５】
特許文献１に記載された「贈答用箱」は、「組立作業性が良好でスペースをとらず箱本体との色合わせも可能な中仕切を備え、さらには環境問題の観点からも好ましい贈答用箱を提供する」ことを目的としてなされたもので、図７に示すように、「打抜領域２３を設けた下側の段ボール２と、打抜領域３３，３４，３５を設けた上側の段ボール３を箱本体１の底１１に積み重ねて中仕切を形成する」といった構成を有するものである。
【０００６】
この特許文献１の「贈答用箱」によれば、「積み重ねた段ボール２，３の打抜領域に生じる凹部により内容物が固定されしかも段差により内容物の高さ調節が行える。贈答箱Ｐ全体が紙製でありながらも、段ボール２，３を敷くだけで簡単に中仕切を形成できる。また、中仕切にフランジ部分がないため、箱本体１として一回り大きなものを必要とせずコンパクトな贈答用箱Ｐを形成でき、中仕切の色と箱本体１の色を合わせて見栄えを良くすることも可能となる」といった効果あるいは作用が得られるのであるが、物品に応じた「打抜領域３３，３４，３５」を形成しなければならず、汎用性に優れた「贈答用箱」とはなっていない。
【０００７】
また、特許文献２には、「物品収納バケット１０の底面１１上に装着し、板材で区画した物品収納ポケット９に、自動車部品等の物品を収納する中仕切り体１において、物品２０の不収納時に物品収納ポケット９を不存在にして、運搬復路において、物品収納ポケット９群が占有する無駄空間を解消して、運搬コストの低減を図る」を目的としてなされた「物品収納バケット用中仕切り体」が示されている。
【０００８】
この特許文献２に記載された「物品収納バケット用中仕切り体」は、図８にも示すように、「底面１１に載置する収納底板２の上に、下端を固定して格子状に交差する経板３と緯板４を設け、この経板３と緯板４は相互の交差部位に形成してかみ合うスロット状切欠部５と窓状切欠部６を有して起立・倒伏自在であり、起立姿勢の経板３と緯板４によって物品収納ポケット９を形成し、指先で経板３と緯板４を倒伏姿勢にすること」を主たる構成とするものであり、これによって、「物品収納ポケット９群を不存在にして小形化コンパクト化する」ことができるものと思われる。
【０００９】
しかしながら、この特許文献２の「物品収納バケット用中仕切り体」も、物品の大きさに応じた「下端を固定して格子状に交差する経板３と緯板４」を形成しなければならず、他の種類の異なる物品の運搬も行えるという汎用性に優れたものとはなっていない。
【００１０】
さらに、特許文献３には、「耐衝撃性や耐震動性を向上させたキャリングケース、及び、梱包部材を削減した梱包物及び梱包方法を提供する」を目的とした「キャリングケース、梱包物及び梱包方法」が提案されており、図９に示すように、「ヒンジ連結により開閉自在な本体ケース１０と蓋ケース３０とで構成される。本体ケース１０は、プロジェクタ１５０を収納する第１の収納部１１とケーブル類１１０を収納する第２の収納部１２とを備え、蓋ケース３０は、付属品１２０を収納する第３の収納部３１，３２と取扱説明書１３０を収納する第４の収納部３３とを備えている」といった構成を有するものである。
【００１１】
しかしながら、この特許文献３の「キャリングケース」も、「プロジェクタ１５０を収納する第１の収納部１１」や「ケーブル類１１０を収納する第２の収納部１２」といった物品の大きさに応じた「収納部１１あるいは１２」を形成しなければならず、他の種類の異なる物品の運搬も行えるという汎用性に優れたものとはなっていない。
【００１２】
要するに、上記各特許文献に記載された容器について、収納した物品の保護を目的とした種々な「中仕切」が提案されてはいるのであるが、これらはいずれも、収納する物品の大きさや形に対応して形状が決まっていて、汎用性が全くないものである。従って、これらの特許文献に示された中仕切は、大きさや形状の異なる他の物品を保護するものとして再利用しようとしても全く使用できないものであり、所謂「リターナブル」なものとすることはできないのである。
【００１３】
また、これらの特許文献に示された中仕切は勿論、特許文献３以外の容器そのものも、運搬先では「ゴミ」としかならず、処分に困るものとなっている。
【００１４】
そこで、本発明者等は、リターナブル容器に付随して利用でき、物品の保護を十分行えることは勿論、リターナブルなものとして使用できる中仕切とするにはどうしたらよいか、について種々検討を重ねてきた結果、本発明を完成したのである。
【００１５】
すなわち、本発明の目的とするところは、物品の保護が行えることは勿論、再利用が十分可能で、しかも物品の大きさや形状が異なってもこれに十分対応できる汎用性を備えた中仕切を、簡単な構成によって提供することにある。
【課題を解決するための手段】
【００１６】
以上の課題を解決するために、まず、請求項１に係る発明の採った手段は、後述する最良形態の説明中で使用する符号を付して説明すると、
「物品Ｐを運搬するために使用される容器２０内に物品Ｐとともに収納され、当該容器２０内を有効に使用できるようにした中仕切１０であって、
容器２０の底壁上または物品Ｐ上に載置されることになる底壁１３と、この底壁１３から立ち上がって、この底壁１３とともに直角のコーナー部Ｒを形成した第１側壁１１及び第２側壁１２とにより構成したことを特徴とする中仕切１０」
である。
【００１７】
すなわち、この請求項１に係る中仕切１０は、図１〜図４に示すように、３面が第１側壁１１、第２側壁１２、及び底壁１３によって囲まれたコーナー部Ｒを有するものであり、他の面を開放状態にしたものである。当然、この中仕切１０は、物品Ｐを運搬するための容器２０内に十分入り得るものであり、この容器２０内を所定の空間に区画できるような剛性も有している。
【００１８】
この中仕切１０は、第１側壁１１、第２側壁１２、及び底壁１３を厚紙や合成樹脂板によって形成したものであり、それ自体に、区画のための剛性を確保しながら、ある程度の緩衝性あるいは弾力性を持たせたものである。勿論、この中仕切１０を構成している第１側壁１１、第２側壁１２、及び底壁１３の厚さは、上記材料によって十分な緩衝性あるいは弾力性が付与できる程度に決定すればよいものであり、例えば、３〜５ｍｍ程度の厚さが好ましい。
【００１９】
また、この中仕切１０は、上述したように、コーナー部Ｒを必要とするものであるが、その理由は、このコーナー部Ｒを存在させることによって、中仕切１０による区画空間の形成を自由に行えるようにするとともに、容器２０内に対する当該中仕切１０の位置決めを確実に行えるようにするためである。つまり、容器２０をリターナブルなものとして使用する場合に、運搬対象である物品Ｐが異なる形状あるいは数量となることがままあるが、その場合に、容器２０内に必要な区画空間はその都度変わってくるし、中仕切１０のコーナー部Ｒの容器２０内に対する位置決めが当該コーナー部Ｒによって簡単に行えれば便利だから、中仕切１０にはコーナー部Ｒが必要なのである。
【００２０】
さらに、この中仕切１０に形成したコーナー部Ｒが直角でなければならない理由は、容器２０内の内角は勿論、この容器２０に収納すべき物品Ｐの角部も直角であり、これらの直角に合わせるためである。特に、この中仕切１０は、物品Ｐを保護するものであるから、この物品Ｐの角部に直角なコーナー部Ｒが当てられるようにしておくことによって、物品Ｐの変形し易い角部を確実に保護できるようにする必要があるから、この中仕切１０に形成したコーナー部Ｒは直角でなければならないのである。
【００２１】
以上のように構成した中仕切１０は、例えば図２〜図４に示すような状態で使用される。これらの図２〜図４に例示した物品Ｐとしては、例えばＡ３版のコピー用紙の束である大物品Ｐ２、この大物品Ｐ２の半分の大きさであるＡ４版のコピー用紙である小物品Ｐ１、事務用接着剤や筆記具等を入れた袋詰物品Ｐ３、そして飲料であるビン詰物品Ｐ４である。勿論、本発明の適用に当たっては、例示した各物品Ｐに限定されるものではないが、容器２０内に入れられる各物品Ｐは、少なくとも大きさや形状が異なるものであることを示すものである。
【００２２】
図２及び図３で示した収納例では、容器２０内に大物品Ｐ２を入れておき、その上に当該中仕切１０を載せて、これによって区画された外側の空間内に小物品Ｐ１を入れたものである。勿論、当該中仕切１０によって囲まれた空間内には、本例の場合は袋詰物品Ｐ３であるが、他の物品Ｐを収納すればよい。これにより、図３にも示すように、容器２０内の上方部分は開いていても、当該中仕切１０が存在して他の物品Ｐを区画しているため、当該容器２０を手荒に扱っても、各物品Ｐが横方向にはガタ付くことはない。
【００２３】
また、これら図２及び図３で示した収納例では、特に図２に示すように、中仕切１０のコーナー部Ｒの外側３面を、容器２０の底壁及び側壁の２つの内面と、小物品Ｐ１の側面とに当接させてある。このため、小物品Ｐ１の内側角部は、中仕切１０の第１側壁１１と容器２０の側壁によって崩れないように十分保護されており、中仕切１０自身の位置決めもしっかりとなされている。そして、中仕切１０自身がしっかりと位置決めされているから、そのコーナー部Ｒ内に収納した袋詰物品Ｐ３の保護も確実になされているのである。
【００２４】
図４に示した収納例では、中仕切１０のコーナー部Ｒを内部に位置させたものであり、当該中仕切１０の容器２０内に対する位置決めは、底壁１３の各開放辺を容器２０の内面に当接させて行っている。具体的には、容器２０の底壁上に大物品Ｐ２を載置して、この大物品Ｐ２上に上記したように中仕切１０を置き、この中仕切１０によって区画された内側空間内に袋詰物品Ｐ３を入れて、外側の「平面視Ｌ形状」の区画空間内に比較的長くて大きいビン詰物品Ｐ４を収納するようにしたものである。
【００２５】
この図４に示した例では、容器２０内に最大長さを有する空間を形成できて、この最大長さ空間内に図２で示した例では入れることのできない長尺ものが収納できることになる。そうであれば、図４に示したように、中仕切１０内側に袋詰物品Ｐ３を入れてもよいし、この中仕切１０内空間を単なる空き空間としておいてもよい。この中仕切１０の外側空間内に収納されたビン詰物品Ｐ４は、当該中仕切１０によって仕切られていて、容器２０を手荒に扱ってもビン詰物品Ｐ４がガタ付くことはないからである。
【００２６】
以上の結果、一回目の当該中仕切１０の使用を図２に示したような状態で行い、戻ってきた当該中仕切１０及び容器２０を再使用して、次の異なった物品Ｐの搬送を、図４に示したような方法で行えるのであるから、これらの中仕切１０及び容器２０は再使用が十分可能なのである。
【００２７】
そして、この請求項１に係る中仕切１０は、次の述べる展開及び組立可能なものではなく、所謂「リジッド」なものを想定しており、例えば合成樹脂によって一体的なものとして成形するものである。そうなると、図６に示すような、折り畳んだ容器２０上に小さくして載置することはできないが、この中仕切１０はコーナー部Ｒを有しているのであるから、このコーナー部Ｒ内に他の中仕切１０のコーナー部Ｒや容器２０のコーナ部を纏めて入れれば、回収時の「容積減らし」は十分可能である。
【００２８】
従って、この請求項１に係る中仕切１０は、物品Ｐの保護が行えることは勿論、再利用が十分可能で、しかも物品Ｐの大きさや形状が異なってもこれに十分対応できる汎用性を備えたものとなっているのである。
【００２９】
上記課題を解決するために、請求項２に係る発明の採った手段は、後述する最良形態の説明中で使用する符号を付して説明すると、
「物品Ｐを運搬するために使用される容器２０内に物品Ｐとともに収納され、当該容器２０内を有効に使用できるようにした中仕切１０であって、
容器２０の底壁上または物品Ｐ上に載置されることになる底壁１３と、この底壁１３から展開可能に立ち上がる第１側壁１１と、この第１側壁１１または底壁１３に展開可能に連結した第２側壁１２により構成するとともに、
これらの第１側壁１１及び第２側壁１２と底壁１３とにより、直角のコーナー部Ｒを形成できるようにしたことを特徴とする中仕切１０」
である。
【００３０】
すなわち、この請求項２に係る中仕切１０は、その基本構成を、上記請求項１に係るそれとほぼ同じにしたものであるが、当該中仕切１０を、底壁１３と、この底壁１３から展開可能に立ち上がる第１側壁１１と、この第１側壁１１または底壁１３に展開可能に連結した第２側壁１２により構成して、図５中の実線にて示した展開状態（平らな状態）と、図５中の仮想線にて示した組立状態（コーナー部Ｒを有した状態）との両方の状態にできるものにしたことが、請求項１のそれと異なる点である。
【００３１】
つまり、この請求項２の中仕切１０は、使用の際には、コーナー部Ｒができるように組み立て、配送元に戻すときには、組み立て状態を崩して、図５に示したような平らな状態にできるようにしたものである。組み立てたときの状態を維持するには、繋がっていない部分を粘着テープや面ファスナーで留めたり、図５に示したような、後述する嵌合突起１４及び嵌合穴１５を利用するようにすればよい。
【００３２】
従って、この請求項２に係る中仕切１０も、物品Ｐの保護が行えることは勿論、再利用が十分可能で、しかも物品Ｐの大きさや形状が異なってもこれに十分対応できる汎用性を備えたものとなっているのである。
【００３３】
また、上記課題を解決するために、請求項３に係る発明の採った手段は、上記請求項２に記載の中仕切１０について、
「底壁１３または第１側壁１１に、第２側壁１２の端縁に形成した嵌合突起１４が係合される嵌合穴１５を形成したこと」
である。
【００３４】
すなわち、この請求項３の中仕切１０は、図５に示すように、第２側壁１２の端縁に嵌合突起１４を形成するとともに、この嵌合突起１４が係合される嵌合穴１５を、底壁１３または第１側壁１１に形成しておいて、これらの各嵌合穴１５に各嵌合突起１４を係合させせることにより、組み立てた当該中仕切１０の形状維持が図れるようにしたものである。
【００３５】
これらの嵌合突起１４及び嵌合穴１５が中仕切１０に形成してあれば、粘着テープ等の他の部材を用意することなく、嵌合突起１４と嵌合穴１５との係合という作業のみで、展開されていた当該中仕切１０の、コーナー部Ｒを有した状態への組み立ては勿論、逆に図６に示したような平らな状態への変更が簡単に行えるのである。
【００３６】
従って、この請求項３の中仕切１０は、上記請求項２のそれと同様な機能を発揮する他、展開や組立が簡単に行えるものとなっているのである。
【００３７】
さらに、上記課題を解決するために、請求項４に係る発明の採った手段は、上記請求項１〜請求項３のいずれかに記載の中仕切１０について、
「底壁１３、第１側壁１１または第２側壁１２の少なくとも１つの内面側に、物品Ｐを抱えながら固定するベルトまたはバンド１６を設けたこと」
である。
【００３８】
すなわち、この中仕切１０は、図１〜図５に示すように、底壁１３、第１側壁１１または第２側壁１２の少なくとも１つの内面側にベルトまたはバンド１６を設けたものである。このベルトまたはバンド１６は、例えば図２〜図４に示すように、物品Ｐを抱えながら固定するものであり、それ自身平らなものである。このため、中仕切１０が展開及び組立自在なものである場合に、図５及び図６に示すように、展開した第１側壁１１または第２側壁１２に沿わせることができるため、展開したときのデッドスペースを少なくするものである。
【００３９】
従って、この請求項４に係る中仕切１０は、上記請求項１〜請求項３の中仕切１０と同様な機能を発揮する他、物品Ｐの当該中仕切１０への固定を簡単に行えて、物品Ｐの運搬時におけるガタ付きを防止できるものとなっている。
【００４０】
そして、上記課題を解決するために、請求項５に係る発明の採った手段は、上記請求項１〜請求項４のいずれかに記載の中仕切１０について、
「容器２０の内法幅、及び内法長さの比がそれぞれａ：ｂであるとき、底壁１３の幅及び長さの比を、ａ：ｂ、またはｂ／２：ａとしたこと」
である。
【００４１】
すなわち、この請求項５に係る中仕切１０は、容器２０の底壁上に直接載置されることもある底壁１３の大きさを、この中仕切１０が使用される容器２０の大きさに適したものとしたものである。その際、一般的な用紙の大きさ決定で行われている方法、例えばＡ０原紙の長い方を半部にしてＡ１用紙とし、このＡ１用紙のまた長い方を半分にしてＡ２用紙とする方法である。
【００４２】
このような方法を採用して、当該中仕切１０を構成している底壁１３の大きさを決定すれば、当該中仕切１０を使用して容器２０内に半分の収納空間を形成することが容易であり、次の半分の収納空間を形成することも簡単になる。
【００４３】
換言すれば、物品ＰとしてＡ３用紙である大物品Ｐ２とし、小物品Ｐ１としてＡ４用紙を収納する際に、当該中仕切１０を使用すれば、図２及び図３に示すように、小物品Ｐ１を大物品Ｐ２上であって容器２０の内壁に当接させた状態にすることが簡単に行えるのであり、各用紙の特に崩れ易いコーナー部を保護できて、しかも、空きスペースを中仕切１０によって十分大きなものに確保できる。
【００４４】
従って、この請求項５に係る中仕切１０は、上記請求項１〜４のそれと同様な機能を発揮する他、効率の良い収納が行えるのである。
【発明の効果】
【００４５】
以上の通り、本発明においては、
「物品Ｐを運搬するために使用される容器２０内に物品Ｐとともに収納され、当該容器２０内を有効に使用できるようにした中仕切１０であって、
容器２０の底壁上または物品Ｐ上に載置されることになる底壁１３と、この底壁１３から立ち上がって、この底壁１３とともに直角のコーナー部Ｒを形成した第１側壁１１及び第２側壁１２とにより構成したこと」
にその構成上の主たる特徴があり、これにより、物品Ｐの保護が行えることは勿論、再利用が十分可能で、しかも物品Ｐの大きさや形状が異なってもこれに十分対応できる汎用性を備えた中仕切１０を、簡単な構成によって提供することができるのである。
【００４６】
また、この中仕切１０には、直角なコーナー部Ｒが形成してあるから、容器２０内の直角な内角に対する位置決めが確実に行えることは勿論、容器２０に収納された物品Ｐの直角な角部の保護も確実に行えるのであり、この中仕切１０は、これによって区画した物品Ｐの変形し易い角部を確実に保護することができるのである。
【発明を実施するための最良の形態】
【００４７】
次に、上記のように構成した各請求項に係る発明を、図面に示した最良の形態に基づいて説明すると、図１には、本発明に係る斜視図が示してある。この中仕切１０は、物品Ｐを運搬するために使用される容器２０内に物品Ｐとともに収納され、当該容器２０内を有効に使用できるようにしたものであり、紙や木製板、あるいは金属板を材料として形成してもよいが、本最良形態では合成樹脂を材料として形成したものである。
【００４８】
また、この中仕切１０は、容器２０の底壁上または物品Ｐ上に載置されることになる底壁１３と、この底壁１３から立ち上がって、この底壁１３とともに直角のコーナー部Ｒを形成した第１側壁１１及び第２側壁１２とにより構成したものである。この中仕切１０は、図１に示したような、各第１側壁１１、第２側壁１２、及び底壁１３が一体的な場合と、図５に示したような、各第１側壁１１、第２側壁１２、及び底壁１３が互いに折曲自在な場合との、二種類を想定したものである。
【００４９】
図５に示したような、各第１側壁１１、第２側壁１２、及び底壁１３が折曲自在にする場合には、当該中仕切１０全体を合成樹脂の板材にそれぞれ必要な折曲線を付しておき、この折曲線によって第１側壁１１、第２側壁１２及び底壁１３を区画すると、製造が簡単に行える。勿論、この合成樹脂の板材として、「段ボール箱用の紙板」のように、「中芯紙」となる波板の表裏面に「表面紙」を貼り付けて、これらの間に緩衝機能を有する連続した空間を有したような断面形状ものとするとよい。この場合、「中芯紙」に該当する部分を、表裏の面を内部で繋ぐ単なる「橋架板」としてもよく、また空間部分の断面形状は波状だけでなく単なる四角形状であってもよく、さらには「ハニカム」構造となるようにしてもよい。
【００５０】
以上のような合成樹脂製の板材を使用して、図１に示したような「リジッド」タイプの中仕切１０とするには、例えば図６に示したような平面形状の板材に切り抜く際に、これに第１側壁１１、第２側壁１２、及び底壁１３に区画する折曲線を同時に入れ、各折曲線にて折り上げてから接合すべき部分を熱溶着や振動溶着等によって一体化すればよい。勿論、単に射出成形等の手段によって、図１に示したたような形状の中仕切１０としてもよい。
【００５１】
また、上述したような合成樹脂の板材を使用して、図５に示すような展開及び組立可能なものとするには、第１側壁１１、第２側壁１２及び底壁１３を型抜きする際に、図５に示したような嵌合突起１４及び嵌合穴１５をそれぞれの適宜位置（互いに当接し合う部分）に形成するとともに、各第１側壁１１、第２側壁１２及び底壁１３を区画するような折曲線を入れてこの折曲線にて折り上げることができるようにすればよい。このときには、ベルトまたはバンド１６を取り付けるための穴を同時に打ち抜いておくと有利である。
【００５２】
以上のような中仕切１０を構成する底壁１３、第１側壁１１または第２側壁１２の少なくとも１つの内面側に、例えば図１あるいは図５に示したように、ベルトまたはバンド１６を取り付ける。このベルトまたはバンド１６は、伸縮性をもたせるとよいが、本最良形態では、所謂「面ファスナー」によって形成し、これによって物品Ｐを抱えながら固定する際の自由度を確保するようにしている。つまり、このベルトまたはバンド１６は、物品Ｐの大きさや形状が異なっても、その抱え込みを自由に行えるようにしたものである。
【００５３】
また、本最良形態に係る中仕切１０では、容器２０の内法幅、及び内法長さの比がそれぞれａ：ｂであるとき、底壁１３の幅及び長さの比を、ａ：ｂ、またはｂ／２：ａとなるようにしてある。
【００５４】
すなわち、本最良形態に係る中仕切１０は、一般的な用紙の大きさ決定で行われている方法、例えばＡ０原紙の長い方を半部にしてＡ１用紙とし、このＡ１用紙のまた長い方を半分にしてＡ２用紙とする方法を採用することによって、容器２０の底壁上に直接載置されることもある底壁１３の大きさを、この中仕切１０が使用される容器２０の大きさに適したものとしたものである。
【００５５】
このような方法を採用すれば、物品ＰとしてＡ３用紙である大物品Ｐ２とし、小物品Ｐ１としてＡ４用紙を収納する際に、当該中仕切１０を使用すれば、図２及び図３に示すように、小物品Ｐ１を大物品Ｐ２上であって容器２０の内壁に当接させた状態にすることが簡単に行えるのであり、各用紙の特に崩れ易いコーナー部を保護できて、しかも、空きスペースを中仕切１０によって十分大きなものに確保できる。
【００５６】
この場合、当該中仕切１０の高さについては種々考えられ、容器２０の内法高さの半分の高さを有したものとしたり、１／３の高さを有したりさせて実施すればよい。
【００５７】
なお、本最良形態で採用している容器２０は、所謂「折り畳みコンテナ」であり、図２等に示した収納可能状態から、図６に示した折り畳み状態への変形が自由に行えるものである。また、本最良形態に係る容器２０では、その全体を合成樹脂によって形成したものである。
【図面の簡単な説明】
【００５８】
【図１】本発明に係る中仕切の斜視図である。
【図２】同中仕切を使用して種々な物品を収納した一つの状態を示す平面斜視図である。
【図３】図２中の１−１線に沿ってみた縦断面図である。
【図４】同中仕切を使用して種々な物品を収納した他の状態を示す平面斜視図である。
【図５】本発明に係る展開及び組立自在な中仕切を示す斜視図である。
【図６】図５に示した中仕切を、下り畳んだ容器上に載置した状態を示す斜視図である。
【図７】従来の技術を示す分解斜視図である。
【図８】従来の中仕切を示すもので、（Ａ）は折り畳んだ状態の斜視図、（Ｂ）は組み立てた状態の斜視図、（Ｃ）は物品を入れた状態の断面図、（Ｄ）は折り畳んだ中仕切とともに容器を重ねた状態の断面図である。
【図９】従来の他の技術を示す斜視図である。
【符号の説明】
【００５９】
１０    中仕切
１１    第１側壁
１２    第２側壁
１３    底壁
１４    嵌合突起
１５    嵌合穴
１６    ベルトまたはバンド
２０    容器
Ｐ      物品
Ｐ１    小物品
Ｐ２    大物品
Ｐ３    袋詰物品
Ｐ４    ビン詰物品
Ｒ    コーナー部
【図１】
2008273541.tif 000003
【図２】
2008273541.tif 000004
【図３】
2008273541.tif 000005
【図４】
2008273541.tif 000006
【図５】
2008273541.tif 000007
【図６】
2008273541.tif 000008
【図７】
2008273541.tif 000009
【図８】
2008273541.tif 000010
【図９】
2008273541.tif 000011